(57)【特許請求の範囲】
【請求項１】
上下に重なった二枚の板材  及び  上方の板材をゴルフティーに結ぶ為の紐で構成され、クラブヘッドのインパクトで生じるゴルフティーの運動エネルギーによって上方の板材が分離移動し  下方の板材上面がゴルファーの視野に露出することを特徴としたヘッドアップ防止用補助具
【発明の詳細な説明】
【技術分野】
【０００１】
本発明は、ティーショットでのヘッドアップを防止する為の補助具に関するものである。
【背景技術】
【０００２】
多くのゴルフプレーヤーは、ヘッドアップがミスショットの大きな原因になるとの認識を有し、スイング時にヘッドアップしないように心掛けているが、プレーヤー自身の心理的な要因で、ヘッドアップを防止することは容易ではなくミスショットを繰り返しているのが現実である。
【０００３】
ゴルフスイングにおけるヘッドアップとは、クラブヘッドがボールに当る（インパクト）より前に、ボールを飛ばそうとする方向や場所に向けて視線が動き  結果  プレーヤーはインパクトの瞬間にはボールを見ていない状態となる頭部の動きのことだが、これは、プレーヤーが、「ボールの行方を一刻も早く見たい」という心理が強く働く為に発生する現象と云える。
【０００４】
ヘッドアップでインパクトの前にボールから視線が離れることで、クラブヘッドがボールに精度よく当たらなくなり（極端な場合は空振りとなる）、また頭部が動くことでスイングの安定に必要な身体の回転軸がぶれてしまい意図した方向や場所にボールを飛ばすことが困難となる。
【０００５】
ヘッドアップを防止する（俗に「頭を残す」とも云う）練習の為に、現在まで多くの種類の練習用器具が考案されているが、大別すると（１）検知装置でインパクトの瞬間を検知し、プレーヤーに光信号などで知らしめることで、インパクト以前に頭部が動かないように練習させるもの（特許文献１及び  非特許文献１参照）（２）前述の方法に頭部の動きを検知する装置を連動させ、プレーヤーが頭部の動きをより客観的に判断できるようにするもの（特許文献２参照）（３）メガネや帽子に特殊な器材やシールを装着し視線や意識をボールに集中させ、インパクト前の頭部の動きを抑制させるもの（特許文献３，４及び５参照）（４）頭部が動かないように物理的な制限を加えるもの（特許文献６参照）及び  （５）練習用マットの上にマークをつけ、インパクト後も視線をマット上に維持させるもの（非特許文献２参照）  などである。
【０００６】
しかしながら、これらの考案は、プレーヤーが潜在的に持つ抗しがたい心理、つまり「ボールの行方を一刻も早く見たい」と云う願望そのものへの対策を考慮していないことから、練習場では一定の効果があったとしても、ゴルフ場でのプレーではその効果を再現しづらく、また効果の持続性も限定的と思われる。特に（３）の視野を意図的に制限させる方法については、ボールを見失いたくないとのプレーヤーの心理がむしろ強くなり、逆効果になることさえも予想される。
【０００７】
「ボールの行方を一刻も早く見たい」という願望は、プレーヤーとして至極当然であり、これを心の中から消し去ることは困難である。  しかし、プレーヤーが「頭を残す」為の「より強い動機付け」を持つことが出来ればヘッドアップする確率は大きく減少するものと考えられる。  つまり「頭を残さねばならない」と云う心理的プレッシャーをベースにした器具でなく、プレーヤー自身が意識せず自然に「頭を残したい」と思うような考案が望まれる。さらに、「ボールの行方を一刻も早く見たい」という願望は、練習場でのショットよりも実際にゴルフ場でプレーをする場合により一層強くなるものと考えると、練習用のみならず、ゴルフ場のラウンド中でも使用可能な器具が望ましい。従来の考案には、上述の２点の条件を満たすものは見当たらない。
【０００８】
ヘッドアップは、ティーショットに限らずアプローチショットやパッティングにも共通した問題である。ただ、ティーショットの良し悪しで、その後のショットの難易度が大きく変わり、またプレーヤーの心理面への影響の大きさを考慮すると、少なくともティーショットでのヘッドアップの問題を回避若しくは軽減出来れば、プレー全体に好影響を与えることは間違いないと考えられる。その為、ティーショットに特化した器具でも大きな有用性を持つと考えられる。
【先行技術文献】
【特許文献】
【０００９】
【特許文献１】特開２０１１−１０４１３１
【特許文献２】特開平０６−０１５０２１
【特許文献３】特開２００２−３２３６８２
【特許文献４】特開２００３−２９５１２７
【特許文献５】特開平０８−２４３２０３
【特許文献６】特開２００７−０５０１９９
【非特許文献】
【００１０】
【非特許文献１】実用新案  実開平０６−０３４６７１
【非特許文献２】実用新案  実登３０２１１０８
【発明の概要】
【発明が解決しようとする課題】
【００１１】
ゴルフ場或は練習場において使用可能で、プレーヤーへの心理的効果を利用したヘッドアップ防止用補助具を提供する。
【課題を解決するための手段】
【００１２】
ティーショットでは通常ティーの上にボールを載せた状態（通称ティーアップと云う）でショットするが、多くの場合クラブヘッドがボールに当りボールが飛び出すと同時に、ティーも前後左右どちらかに弾き飛ばされる。インパクトと同じタイミングでティーが動くこと、また弾き飛ばされたティーが物理的な運動エネルギーを有していることを利用して、ティーの動きに連動して補助具が作動するようにする。
【００１３】
プレーヤーから見てティーアップしたボールの反対側付近に2枚の板材を上下重ねて置き（便宜的に下方の板材をA板と、また上方の板材をB板と呼ぶ）B板をティーと紐で連結した状態とする。プレーヤーがボールと近接したB板を目視しながらスイングに入りインパクトの瞬間にティーが弾き飛ばされるが、紐で結ばれたB板も同時にティーとともに弾き飛ばされ、元の位置にはA板のみが残るようにする。
【００１４】
A板とB板の上面に、それぞれ異なった色、図形や文字などを描いておくことで、プレーヤーがインパクト後もA板に視線を維持する積極的な動機付けとなり、ヘッドアップの防止を実現する。
【発明の効果】
【００１５】
プレーヤーはインパクトの後もボールがあった元の位置を目視することが求められるという概念においては、他の考案と同様であるが、インパクトするとB板が弾き飛ばされて、異なる色、図形や文字が描かれたA板に一瞬にして“変化”する視覚事象は、極めて強烈な心理的効果を持ち「ボールの行方を一刻も早く見たい」願望より「A板を見る」ことを優先する意識が確実に醸成される。  視覚事象が心理面に与える効果は極めて大きく、且つ持続性がある為、一旦本補助器具が視覚残像として脳裏に焼き付くと、例え本補助具を使用しない場合でも、アドレス（構える）と同時にプレーヤーは心の中でB板を見ているような心理状態となり、さらにインパクトと同時にB板がA板に一瞬にして変化することを確認しようとする心理的欲求が優勢となり、高いヘッドアップ防止効果が出る。
【００１６】
A板、B板の上面の図形や文字は、種々考えられるが、一例としてB板にはゆったりとリラックスしたスイングに誘導するような絵文字（例えばニコニコマーク）、またA板には、ナイスショットの掛け声を想起させるような絵文字や子供の笑顔の写真など、メッセージ性があり、且つ  A板とB板の「落差」が大きいものほど心理的作用が強く、結果として高いヘッドアップ防止効果がある。  さらに、ゴルフスイングの際に、「チャーシュー麺」なる言葉を心の中で唱えると最適なスイングテンポを実現出来るとの通説もあるが、例えばB板に「チャーシュー」なる文字を、A板に「麺」と大きく見せることにより、視覚からの信号が頭脳に伝わりヘッドアップの防止のみならずスイングテンポの調整にも効果がある。
【００１７】
副次的効果として、ティーとB板が紐で結ばれていることから、飛ばされたティーを探し出す
ことが、非常に容易になる。
【図面の簡単な説明】
【００１８】
【図１】A板上面図  （B板の下で地面に接する）
【図２】A板側面図
【図３】B板上面図  （A板の上に重ねる）
【図４】B板側面図
【図５】連結用紐
【図６】使用時の斜図  （差し込み型ティーを使うスイング前の状態）
【図７】B板上面の図形例（B-1）
【図８】A板上面の図形例（A-1）
【図９】B板上面の図形例（B-2）
【図１０】A板上面の図形例（A-2）
【発明を実施するための形態】
【００１９】
以下、本発明の実施の形態について説明する。
（イ）A板及びB板は、直径３５ミリ〜４５ミリ  板厚１ミリ〜２ミリの円形の塩ビ板を使用し、それぞれの上面に別々の図形や文字を描いた（図７〜１０に図形例を示す）。図形や文字は、直接描く必要はなく図形や文字が描かれたシールを張ることでも良い。
（ロ）B板の周辺近くに直径1ミリ〜2ミリの孔を開け  太さ０．５ミリ〜２ミリ長さ５０ミリ〜１５０ミリの紐の一端を結び、他端にショットに使用するティーの軸を通す為の輪を形成した。なお、ティーには地面への差し込み型と据え置き型があるが、紐とティーとの装着方法としては、直接結ぶ方法の他、ゴムやシリコン製等軟質材のフック或はリング状の部材を介して結んでもよいが、ティーが破損した場合を考え、取り換えが容易な方法が望ましい。
（ハ）A板とB板を重ね地上に置く際の操作性を考慮し二枚の板材が緩やかに吸着するように、A板の裏面に磁石、B板の裏面に金属板（或はその逆でも良い）を張っておくが、吸着の強さはあくまでB板がティーの運動エネルギーのみで分離する範囲とした。また、A板については、B板が弾き飛ばされても元の位置から動かないようにA板を若干重くするか裏面を滑りにくい構造にしておくことが望ましい。
（ニ）  A板とB板の素材は、塩ビ板以外でも紙、プラスチック、金属のいずれでもよいが、重量や加工性、また使用場所を考慮すると耐水性を持ったプラスチックが望ましい。紐は綿、合成繊維のいずれでもよいが、クラブヘッドに巻き付く恐れを考慮すると綿が望ましい。
【符号の説明】
【００２０】
１−１  A板  
１―２  A板下面磁石
２−１  B板  
２−２  B板下面金属板  
２−３  連結紐用孔  
２−４  連結紐  
３−１  ゴルフボール
３−２  ティー（差し込み型）
【要約】
【課題】  ゴルフのミスショットの大きな原因であるヘッドアップは、ゴルファー自身の心理的な要因で防止することは容易ではない。  ヘッドアップを、「ボールの行方を一刻も早く見たい」というゴルファーの心理から発生する現象と捉え、インパクト後もゴルファーが「頭を残す」為の積極的動機付けを可能とする補助具を提供する。
【解決手段】
上下に重ねた2枚の円板状の板材をティーアップしたボールに近接して置き、インパクトと同時にティーが弾き飛ばされる運動エネルギーを利用して上方の円板を分離移動させ、下方の円板をゴルファーの視野に露出させることで、ヘッドアップを防止する。
【選択図】  図６【図１】
0005824184.tif 000002
【図２】
0005824184.tif 000003
【図３】
0005824184.tif 000004
【図４】
0005824184.tif 000005
【図５】
0005824184.tif 000006
【図６】
0005824184.tif 000007
【図７】
0005824184.tif 000008
【図８】
0005824184.tif 000009
【図９】
0005824184.tif 000010
【図１０】
0005824184.tif 000011